(57)【特許請求の範囲】
【請求項１】
上部アングル及び下部アングルを備え、上下方向に設置される枠状のフレームと、
該フレームの該上部アングルの下面側に設置された上部ヘッダーと、
該フレームの該下部アングルの上方に配置され、該下部アングルに引張コイルバネを介して連結された下部ヘッダーと、
該上部ヘッダーと下部ヘッダーとの間に架設されたポリブテン管又は架橋ポリエチレン管よりなる複数の放熱管と、
該フレームの上部から上方に突設された上部アジャスタと、
該フレームの下部から下方に突設された下部アジャスタと、
該フレームの上部に設けられ、前記上部ヘッダー及び前記上部アジャスタを隠蔽する上部カバーと、
該フレームの下部に設けられ、前記下部ヘッダー及び前記下部アジャスタを隠蔽する下部カバーと、
前記上部ヘッダーと下部ヘッダーとの間に設けられ、平行な１対の主板面と、該主板面同士を接続する複数のリブ部とを含むハーモニカ形断面形状を有し、隣接する該リブ部同士の間に前記放熱管が挿通された半透明のスルーパネルと
を備えてなるパネルラジエータユニット。
【請求項２】
請求項１のパネルラジエータユニットを天井と床との間に立設したパネルラジエータユニットの設置構造であって、
前記上部アジャスタ及び下部アジャスタをフレームから突出させることにより、パネルラジエータユニットを突っ張らせた状態で天井及び床に固定したことを特徴とするパネルラジエータユニットの設置構造。
【請求項３】
請求項２において、床下を引き回された温水配管がフレーム下方の床面の開口を通って前記下部ヘッダーに接続されていることを特徴とするパネルラジエータユニットの設置構造。
【発明の詳細な説明】
【技術分野】
【０００１】
本発明は、パネルラジエータユニット及びその設置構造に係り、特に壁暖房用のパネルラジエータユニットとその設置構造に関する。
【背景技術】
【０００２】
壁暖房用のパネルラジエータとして、パネルラジエータユニットをＬ字形の固定金具によって壁に直に取り付けるものが、特開２００２−１６２０５０号公報に記載されている。同号公報のパネルラジエータは、１対の縦主管の間に多数の副管を水平に架け渡した構造のものである。上記のＬ字形の固定金具は縦主管に取り付けられており、固定金具はネジによって壁に固定される。
【先行技術文献】
【特許文献】
【０００３】
【特許文献１】特開２００２−１６２０５０号公報
【発明の概要】
【発明が解決しようとする課題】
【０００４】
上記特開２００２−１６２０５０号公報のパネルラジエータは、壁取り付け専用のものであり、パネルラジエータ自体を間仕切りパネル状に設置することはできない。
【０００５】
本発明は、間仕切りパネル状に設置することができるパネルラジエータユニットと、その設置構造を提供することを目的とする。
【課題を解決するための手段】
【０００６】
本発明（請求項１）のパネルラジエータユニットは、上部アングル及び下部アングルを備え、上下方向に設置される枠状のフレームと、該フレームの該上部アングルの下面側に設置された上部ヘッダーと、該フレームの該下部アングルの上方に配置され、該下部アングルに引張コイルバネを介して連結された下部ヘッダーと、該上部ヘッダーと下部ヘッダーとの間に架設されたポリブテン管又は架橋ポリエチレン管よりなる複数の放熱管と、該フレームの上部から上方に突設された上部アジャスタと、該フレームの下部から下方に突設された下部アジャスタと、該フレームの上部に設けられ、前記上部ヘッダー及び前記上部アジャスタを隠蔽する上部カバーと、該フレームの下部に設けられ、前記下部ヘッダー及び前記下部アジャスタを隠蔽する下部カバーと、前記上部ヘッダーと下部ヘッダーとの間に設けられ、平行な１対の主板面と、該主板面同士を接続する複数のリブ部とを含むハーモニカ形断面形状を有し、隣接する該リブ部同士の間に前記放熱管が挿通された半透明のスルーパネルとを備えてなるものである。
【０００９】
本発明（請求項２）のパネルラジエータユニットの設置構造は、請求項１のパネルラジエータユニットを天井と床との間に立設したパネルラジエータユニットの設置構造であって、前記上部アジャスタ及び下部アジャスタをフレームから突出させることにより、パネルラジエータユニットを突っ張らせた状態で天井及び床に固定したことを特徴とするものである。
【００１０】
請求項３のパネルラジエータユニットの設置構造は、請求項２において、床下を引き回された温水配管がフレーム下方の床面の開口を通って前記下部ヘッダーに接続されていることを特徴とするものである。
【発明の効果】
【００１１】
本発明のパネルラジエータユニットは、枠状のフレームと、該フレームの上部及び下部にそれぞれ設けられた上部ヘッダー及び下部ヘッダーと、該上部ヘッダーと下部ヘッダーとの間に架設された放熱管と、該フレームに設けられたアジャスタとを備えているので、このアジャスタを突出させてパネルラジエータユニットを天井と床との間に突っ張り状に固定設置することができる。
【００１２】
このパネルラジエータユニットは、壁に沿った位置だけでなく、壁から離隔した位置に間仕切り状に設置することもできる。パネルラジエータユニットを間仕切り状に設置した場合には、パネルラジエータユニットの両側の部屋を暖房することができる。
【００１３】
フレームに上部カバー、下部カバー及びスルーパネルを設けることにより美観が向上する。
【００１４】
また、このスルーパネルを半透明とすることにより、放熱管から輻射される遠赤外線の透過率が高くなり、暖房効率が向上する。
【図面の簡単な説明】
【００１５】
【図１】カバーを装着した状態のパネルラジエータユニット及びその設置構造を示す斜視図である。
【図２】カバーを取り外した状態におけるパネルラジエータユニット及びその設置構造を示す斜視図である。
【図３】パネルラジエータユニットの上部の構成を示す、下方から見上げた状態の斜視図である。
【図４】（ａ）図はパネルラジエータユニットの図１におけるIV−IV線に沿う箇所の断面図、（ｂ）図はスルーパネルの断面図である。
【発明を実施するための形態】
【００１６】
以下、第１図〜第４図を参照して実施の形態について説明する。
【００１７】
第１図の通り、床１と天井２との間にパネルラジエータユニット３が立設されている。このパネルラジエータユニット３は、第２図及び第３図に示される通り、長方形枠状のフレーム４と、該フレーム４の上部に設置された上部ヘッダー５と、フレーム４の下部に設置された下部ヘッダー６と、該上部ヘッダー５と下部ヘッダー６との間に架設された放熱管７と、フレーム４の上部及び下部から突設されたアジャスタ８と、放熱管７が挿通されたスルーパネル２０等を備えている。
【００１８】
フレーム４は、好ましくはアルミ等の軽金属の押出材よりなるものであり、１対の縦アングル４ａ，４ａと、該縦アングル４ａ，４ａの上端同士の間に架設された上部アングル４ｂと、縦アングル４ａ，４ａの下端同士の間に架設された下部アングル４ｃとを有している。なお、上部アングル４ｂを省略し、上部ヘッダー５を縦アングル４ａ，４ａの上端同士の間に架設し、上部ヘッダー５縦アングル４ａ，４ａの上端同士を連結してもよい。
【００１９】
図示は省略するが、縦アングル４ａ，４ａの上端及び下端にナットが固着されている。前記アジャスタ８は、該ナットに螺合し、上下方向に螺進可能とされている。アジャスタ８は、長尺のボルトよりなるものであり、回転させることにより、フレーム４からの突出長さが調整される。
【００２０】
上部アングル４ｂの下面側に上部ヘッダー５が取付金具（図示略）によって取り付けられている。放熱管７は、この実施の形態ではポリブテン、架橋ポリエチレン等の合成樹脂チューブよりなる。各放熱管７は、スルーパネル２０の挿通孔２３に挿通され、各々の上端及び下端がそれぞれ継手（図示略）によって上部ヘッダー５及び下部ヘッダー６に接続されている。
【００２１】
スルーパネル２０は、ポリカーボネート等の半透明な合成樹脂よりなる。このスルーパネル２０は、第４図（ｂ）の通り、平行な１対の主板面２１，２１と、該主板面２１，２１同士を接続するリブ部２２とを有したハーモニカ形断面形状となっており、隣接するリブ部２２同士の間が放熱管７の挿通孔２３となっている。リブ部２２は主板面２１と垂直である。このスルーパネル２０の左右の両側縁は、縦アングル４ａ，４ａの内向き面（対向面）に設けられた溝（図示略）に係合することにより、フレーム４に保持されているが、ビス留め等によって保持されてもよい。挿通孔２３は、縦アングル４ａと平行方向に延在する。
【００２２】
下部ヘッダー６は、引張コイルバネ１０を介して下部アングル４ｃに連結されている。下部ヘッダー６は、下部アングル４ｃよりも所定距離上方に位置しており、下部ヘッダー６と下部アングル４ｃとの間に所定の間隙があいているので、温水を放熱管７に通水して放熱管７が熱膨張により伸長したときの伸びが吸収される。下部ヘッダー６には、床１の開口１１及び下部アングル４ｃの開口（符号略）を通過した温水循環配管１２，１３の一端が接続されている。この配管１２，１３はポリブテン、架橋ポリエチレン等の合成樹脂よりなり、その他端はボイラや分岐ヘッダー（図示略）に接続されている。
【００２３】
パネルラジエータユニット３を床１と天井２との間に間仕切り状に立設するには、ヘッダー５，６、放熱管７、スルーパネル２０、アジャスタ８及びコイルバネ１０を備えたフレーム４を部屋のパネルラジエータユニット設置予定位置にて起立させる。なお、下側のアジャスタ８と床１との間、及び上側のアジャスタ８と天井２との間には、ゴム、合成樹脂等よりなる固定座９又はパッキンを介在させるのが好ましい。次いで、パネルラジエータユニット３が鉛直となるように支えた状態で、アジャスタ８を回して突出させ、パネルラジエータユニット３を床１と天井２との間で突っ張らせて固定する。
【００２４】
次いで、温水循環配管１２，１３を下部ヘッダー６に接続する。その後、フレーム４の上部にカバー１６を取り付け、フレーム４の下部にカバー１７を取り付け、各ヘッダー５，６を隠蔽する。これらのカバー１６，１７は例えばビス留めによりフレーム４に固定される。
【００２５】
このように構成されたパネルラジエータユニット３及びその設置構造にあっては、部屋の所望箇所に間仕切り状のパネルラジエータユニットを容易に鉛直状に立設することができる。
【００２６】
このパネルラジエータユニット３にあっては、ヘッダー５，６がカバー１６，１７で隠蔽され、また、放熱管７が半透明のスルーパネル２０で覆われるので、美観に優れる。
【００２７】
このパネルラジエータユニット３の放熱管７に温水を循環通水することにより、熱がパネルラジエータユニット３の両面から輻射される。スルーパネル２０が半透明であるので、放熱管７からの遠赤外線が効率よく部屋内に放射される。温水を通水することにより、放熱管７が熱膨張して伸長し、また温水通水を停止すると、放熱管７が縮んで短くなるが、この放熱管７の伸縮はバネ１０によって吸収される。
【００２８】
上記実施の形態は本発明の一例であり、本発明は図示以外の態様とされてもよい。
【００２９】
例えば、温水循環配管は床下ではなく天井裏に引き回されてもよい。また、放熱管７の本数は図示以外でもよい。下部ヘッダー６と下部アングル４ｃとをバネ１０で連結する代りに、上部ヘッダー５をバネで上部アングル４ｂに連結してもよい。縦アングル４ａは円筒形であってもよい。
【００３０】
本発明のパネルラジエータユニットは壁に沿って立設されてもよい。
【符号の説明】
【００３１】
１  床
２  天井
３  パネルラジエータユニット
４  フレーム
５  上部ヘッダー
６  下部ヘッダー
７  放熱管
８  アジャスタ
２０  スルーパネル
【図１】
0005598090.tif 000002
【図２】
0005598090.tif 000003
【図３】
0005598090.tif 000004
【図４】
0005598090.tif 000005